(57)【要約】【課題】視野検査の精度を高く維持することができる視野検査装置を提供する。【解決手段】検査視標Ｍを表示する表示部２と、表示部２に表示された検査視標Ｍを被験者が認識したか否かを検出する検出部３と、表示部２に検査視標Ｍを表示させる位置およびタイミングを制御する表示制御部１０と、を備えており、表示制御部１０は、基準位置ＢＰと周辺位置ＳＰとに交互に検査視標Ｍを表示させる検査視標表示機能１１と、周辺位置ＳＰに検査視標Ｍを表示させてから、検査視標Ｍを被験者が認識するまでの時間を測定する反応時間測定機能１４と、を備えており、基準検査視標ＢＭの表示位置と周辺検査視標ＳＭの表示位置とが相互に関連付けられており、検査視標表示機能１１は、周辺検査視標ＳＭの表示位置と表示部２との関係に基づいて、基準検査視標ＢＭの表示位置および周辺検査視標ＳＭの表示位置を調整する表示位置調整機能１２を有している。【選択図】図１
2020099556.tif 000002
【特許請求の範囲】
【請求項１】
検査視標を表示する表示部と、
該表示部に表示された検査視標を被験者が認識したか否かを検出する検出部と、
前記表示部に前記検査視標を表示させる位置およびタイミングを制御する表示制御部と、を備え、
該表示制御部は、
前記表示部における基準位置と前記表示部における前記基準位置以外の周辺位置とに交互に前記検査視標を表示させる検査視標表示機能と、
前記周辺位置に前記検査視標を表示させてから、該検査視標を被験者が認識するまでの時間を測定する反応時間測定機能と、を備えており、
前記基準位置に表示される基準検査視標の表示位置と該基準検査視標を表示した後に前記周辺位置に表示される周辺検査視標の表示位置とが相互に関連付けられており、
前記検査視標表示機能は、
前記周辺検査視標の表示位置と前記表示部との関係に基づいて、該周辺検査視標と関連付けられている前記基準検査視標を前記表示部に表示する前に、該基準検査視標の表示位置および前記周辺検査視標の表示位置を調整する表示位置調整機能を有している
ことを特徴とする視野検査装置。
【請求項２】
前記表示位置調整機能は、
前記周辺検査視標を表示する予定の位置が前記表示部内に位置するか否かを判断し、前記表示部内に位置しないと判断した場合において、前記周辺検査視標の表示位置を前記表示部内に変更し、かつ、該周辺検査視標との相対的な距離が維持されるように該周辺検査視標と関連付けられている前記基準検査視標の表示位置を変更する機能を有している
ことを特徴とする請求項１記載の視野検査装置。
【請求項３】
前記表示位置調整機能は、
前記周辺検査視標を表示する予定の位置における前記表示部の状態に応じて、前記周辺検査視標の表示位置を変更し、かつ、該周辺検査視標との相対的な距離が維持されるように該周辺検査視標と関連付けられている前記基準検査視標の表示位置を前記基準位置から変更する機能を有している
ことを特徴とする請求項１記載の視野検査装置。
【請求項４】
前記検出部は、
被験者の視線を検出する視線検出機能と、
該視線検出機能が検出した視線に基づいて被験者が前記検査視標を認識したか否かを判断する視認判断機能と、を有しており、
前記検査視標表示機能は、
被験者が前記検査視標を認識したと前記視認判断機能が判断すると、前記検査視標を表示する位置を、前記基準位置と前記周辺位置との間で切り換える
ことを特徴とする請求項１、２または３記載の視野検査装置。
【発明の詳細な説明】
【技術分野】
【０００１】
本発明は、視野検査装置に関する。さらに詳しくは、種々の疾患や各疾患の進行度を検査するために使用される視野検査装置に関する。
【背景技術】
【０００２】
視野検査は、緑内障や網膜色素変性症、糖尿病性網膜症、網膜剥離、黄斑変性などの疾患や各疾患の進行度を調べるために実施される。かかる視野検査は、ゴールドマン視野計やハンフリー視野計などが使用される。これらの機器による視野計では、一点を注視したときに周囲に見える範囲を測定して視野を測定する。具体的には、視野計に顔を固定して、被験者に視野計内の表示部に示されている中心のマークを見つめさせる。その状態で、表示部の周辺に光などを出現させて、その光が見えたときに、被験者にブザーを鳴らさせる。このようにして、被験者がどの位置の光を認識できるか否かを調べることによって、視野や欠落部を調べている。
http://medical-checkup.info/article/43671142.html
http://www.nichigan.or.jp/public/disease/ryokunai_ryokunai.jsp
【０００３】
しかし、上述したような視野計では、両目の検査が終わるまでに３０分程度の時間を要するうえ、視線を固定して検査を行うので、検査における被験者の負担が大きい。しかも、長時間の検査を行うので、検査中に注意力が低下し、欠陥でなくても光の認識ができなくなってしまう等の問題も生じている。そして、視野検査を適切に実施するためには、検査技師が装置の操作や検査ミスを監視しなければならないので、被験者だけでなく、検査技師の負担も大きいという問題もある。
【０００４】
かかる視野検査の負担を軽減する技術として特許文献１〜３の技術が開発されている。これらの文献では、固視点を凝視した状態で周辺に視標を提示させて、その周辺に表示させた視標を新たな固視点とする技術が開示されている。これらの技術では、現在見ている視標を固視点にするので、固定された固視点を注視する場合に比べて、被験者の負担を軽減することができる。
【先行技術文献】
【特許文献】
【０００５】
【特許文献１】特表２０１５−５０２２３８号公報
【特許文献２】特開２００３−５４２公報
【特許文献３】特開２０１１−１６１１２２号公報
【発明の概要】
【発明が解決しようとする課題】
【０００６】
ところで、特許文献１〜３の技術では、ディスプレイに固視点や視標を表示させるが、視標をディスプレイの周辺部に表示した場合には、視標がにじんだり形状が変形したりする場合がある。すると、周辺部における検査の精度が低下する可能性がある。
【０００７】
本発明は上記事情に鑑み、視野検査の精度を高く維持することができる視野検査装置を提供することを目的とする。
【課題を解決するための手段】
【０００８】
本発明の視野検査装置は、検査視標を表示する表示部と、該表示部に表示された検査視標を被験者が認識したか否かを検出する検出部と、前記表示部に前記検査視標を表示させる位置およびタイミングを制御する表示制御部と、を備え、該表示制御部は、前記表示部における基準位置と前記表示部における前記基準位置以外の周辺位置とに交互に前記検査視標を表示させる検査視標表示機能と、前記周辺位置に前記検査視標を表示させてから、該検査視標を被験者が認識するまでの時間を測定する反応時間測定機能と、を備えており、前記基準位置に表示される基準検査視標の表示位置と該基準検査視標を表示した後に前記周辺位置に表示される周辺検査視標の表示位置とが相互に関連付けられており、前記検査視標表示機能は、前記周辺検査視標の表示位置と前記表示部との関係に基づいて、該周辺検査視標と関連付けられている前記基準検査視標を前記表示部に表示する前に、該基準検査視標の表示位置および前記周辺検査視標の表示位置を調整する表示位置調整機能を有していることを特徴とする。
【発明の効果】
【０００９】
本発明によれば、周辺検査視標と基準検査視標との距離を維持したまま、周辺検査視標および基準検査視標を表示部に表示する位置をずらす。すると、表示部において正確な検査を実施しやすい位置に周辺検査視標を表示させることができるので、視野検査の精度の低下を防止できる。
【図面の簡単な説明】
【００１０】
【図１】本実施形態の視野検査装置１のブロック図である。
【図２】表示制御部１０の検査視標表示機能１１による検査視標Ｍの表示方法の概略説明図である。
【図３】表示制御部１０の表示位置調整機能１２による検査視標Ｍの表示位置調整の概略説明図である。
【図４】表示情報の一例を示した図である。
【発明を実施するための形態】
【００１１】
本実施形態の視野検査装置は、被験者の視野検査に使用される装置であって、視野検査の精度の低下を防止できるようにしたことに特徴を有している。
【００１２】
＜視野検査装置１＞
図１に示すように、本実施形態の視野検査装置１は、表示部２と、検出部３と、記憶部４と、表示制御部１０と、を備えている。この視野検査装置１では、表示制御部１０によって検査視標Ｍを表示部２に表示させる位置が変化するようになっている。
【００１３】
＜検査視標Ｍについて＞
視野検査装置１が表示する検査視標Ｍはとくに限定されない。例えば、ランドルト環や被験者の母語となる文字等を使用することができるし、黒丸などの単純な形状の図形なども使用できる。
【００１４】
また、後述する基準位置ＢＰに表示させる視標（基準検査視標ＢＭ）と周辺位置ＳＰに表示させる視標（周辺検査視標ＳＭ）は、同じ種類の視標である必要はない。つまり、基準検査視標ＢＭと周辺検査視標ＳＭは異なる種類の視標を使用してもよい。例えば、基準位置ＢＰには基準検査視標ＢＭとして文字等を表示させて、周辺位置ＳＰには周辺検査視標ＳＭとして単なる黒点等を表示させてもよい。もちろん逆でもよい。なお、基準位置ＢＰが特許請求の範囲にいう「基準検査視標の表示位置」に相当し、周辺位置ＳＰが特許請求の範囲にいう「周辺検査視標の表示位置」に相当する。
【００１５】
＜表示部２＞
表示部２は、表示制御部１０や外部からの指示に基づいて、表示制御部１０や外部から供給される情報を表示できるものである。具体的には、表示制御部１０からの指示に基づいて、検査視標Ｍを所定の位置に表示させることができるものである。
【００１６】
なお、表示部２は、検査視標Ｍをある程度高速で表示させることができるものであれば、どのような表示装置を使用してもよい。例えば、液晶ディスプレイやプラズマディスプレイ等の公知の表示装置を使用することができる。この表示部２の大きさもとくに限定されないが、できるだけ小さい方が装置をコンパクトにできるので望ましい。人が文字などを認識できる視野は、視野中心からせいぜい３０度程度の範囲である。したがって、表示部２の大きさは、例えば、視距離（被験者から表示部２までの距離）が４５０ｍｍの場合、縦横の長さが３００ｍｍ×５２０ｍｍ程度（２３インチディスプレイ）であれば、十分に視野検査を行うことができる。なお、表示部２の形状はとくに限定されず、正方形でも長方形でもよいし、その他の形状でもよい。
【００１７】
また、ヘッドマウントディスプレイのディスプレイを表示部２として使用してもよい。本実施形態の視野検査装置１に限らず、視野の検査に使用される装置は、被験者の目から表示部２までの距離（視距離）を一定に保って検査を実施することを前提に設計されている。表示部２としてヘッドマウントディスプレイを使用すれば、被験者が意識しなくても、被験者の目からディスプレイ（つまり表示部２）までの視距離を一定に保ちやすくなる。しかも、人が顔を動かした場合でも、ディスプレイ（つまり表示部２）と被験者の目との相対的な位置が変化しない。すると、液晶ディスプレイ等のように試験場所などに設置されたディスプレイを表示部２として使用する場合に比べて、視野検査の精度を向上させることができる。
【００１８】
＜検出部３＞
検出部３は、表示部２に表示された検査視標Ｍを被験者が認識したか否かを検出する機能を有するものである。
【００１９】
＜視線検出機能３ａ＞
この検出部３は、被験者の視線を検出する視線検出機能３ａを有している。この視線検出機能３ａは、公知のアイトラッキング技術を用いて視線を検出する機能である。例えば、角膜反射法や眼球電位法等、視線を検出する公知のアイトラッキング技術を採用することができる。なお、表示部２として、ヘッドマウントディスプレイのディスプレイを使用した場合には、ヘッドマウントディスプレイがアイトラッキング機能を有していれば、そのアイトラッキング機能を視線検出機能３ａとして使用することができる。
【００２０】
＜視認判断機能３ｂ＞
検出部３は、視線検出機能３ａからの視線に関する情報（視線情報）が送信される視認判断機能３ｂを有している。この視認判断機能３ｂは、視線情報と、後述する表示制御部１０によって表示部２に表示されている検査視標Ｍの表示位置に関する情報と、を比較して、被験者が検査視標Ｍを認識したか否かを判断する機能を有している。例えば、視線情報に基づいて被験者の視線の情報と、表示部２における検査視標Ｍが表示されている座標の情報と、を比較することによって、被験者が検査視標Ｍを視認しているかを判断することができる。また、視認判断機能３ｂは、被験者が検査視標Ｍを視認したと判断すると、トリガー信号（認識信号）を発信する機能を有している。
【００２１】
被験者が検査視標Ｍを視認しているか否かを判断する際には、被験者の視線の動きが一定の範囲内に留まっているかどうかを判断してもよい。例えば、被験者の視線が検査視標Ｍが表示されている座標近傍の一定の範囲内に一定の時間以上留まっていれば、被験者が検査視標Ｍを視認していると判断するようにしてもよい。
【００２２】
なお、視認判断機能３ｂは、後述する反応時間が一定の時間よりも短い場合には、その測定データを無効にする機能を有していてもよい。かかる場合には、被験者が視線を移動させているときに、偶然に検査視標Ｍの位置に視線が到達した可能性が有り、反応時間が本来の反応時間よりも短くなり、検査精度が低下する可能性がある。したがって、上記場合には、測定データを無効にしてもよい。上述した一定の時間は、被験者等によって変更してもよいし被験者等によらず一定にしてもよい。例えば、反応時間が１００ミリ秒以下の場合には、その測定データを無効にするようにしてもよい。
【００２３】
＜記憶部４＞
記憶部４は、表示制御部１０と接続されており、表示制御部１０の各機能から情報が送信され、その情報を記憶する機能を有している。例えば、表示制御部１０の検査視標表示機能１１から送信される、周辺検査視標ＳＭを表示させた位置（座標）に関する情報と、後述する反応時間と、を関連付けて記憶する機能を有している。
【００２４】
加えて、記憶部４は、表示制御部１０や外部からの指示に基づいて、記憶している情報（例えば、後述する表示情報等）を表示部２に供給したり外部に送信したりする機能も有している。
【００２５】
さらに、記憶部４には、表示部２に関する情報も記憶されている。表示部２に関する情報とは、表示部２の大きさ（幅や高さ）や形状（四角形や周辺部の曲率など）も記憶されている。また、表示部２において、表示画像のにじみや変形等が一定以上生じる領域（以下、忌避領域ＥＥという場合がある）に関する情報も記憶されていることが望ましい。
【００２６】
＜表示制御部１０＞
表示制御部１０は、表示部２に検査視標Ｍを表示させる位置およびタイミングを制御する機能を有するものである。この表示制御部１０は、検査視標表示機能１１と、表示位置調整機能１２と、反応時間測定機能１４と、暗点判断機能１５と、を備えている。
【００２７】
＜検査視標表示機能１１＞
検査視標表示機能１１は、表示部２に検査視標Ｍを表示させる機能を有するものである。より詳しく説明すると、検査視標表示機能１１は、表示部２における基準位置ＢＰと基準位置ＢＰ以外の周辺位置ＳＰとに、それぞれ基準検査視標ＢＭと周辺検査視標ＳＭとを表示させる機能を有している。しかも、検査視標表示機能１１は、基準位置ＢＰにおける基準検査視標ＢＭの表示と、周辺位置ＳＰにおける周辺検査視標ＳＭの表示を交互に実施させる機能を有している。つまり、検査視標表示機能１１は、基準位置ＢＰに基準検査視標ＢＭを表示させた後周辺位置ＳＰに周辺検査視標ＳＭを表示させ、その後、再び基準位置ＢＰに基準検査視標ＢＭの表示させた後周辺位置ＳＰに周辺検査視標ＳＭを表示させる、という作業を繰り返し実施する機能を有している（図２参照）。また、検査視標表示機能１１は、基準位置ＢＰに基準検査視標ＢＭを表示させるとトリガー信号（開始信号）を発信する機能を有している。
【００２８】
なお、「基準位置ＢＰにおける基準検査視標ＢＭの表示と周辺位置ＳＰにおける周辺検査視標ＳＭの表示を交互に実施させる」とは、一方の検査視標Ｍの表示が消えてから他方の検査視標Ｍを表示させる場合を含んでいる。また、「基準位置ＢＰにおける基準検査視標ＢＭの表示と周辺位置ＳＰにおける周辺検査視標ＳＭの表示を交互に実施させる」には、一時的に両方の検査視標Ｍが消えた状態となり、その後他方の検査視標Ｍだけが表示れた状態になることも含んでいる。一時的に両方の検査視標Ｍが消える場合、両方が消えている時間の長さはとくに限定されない。例えば、１７ミリ秒以下の場合を挙げることができる。
【００２９】
この検査視標表示機能１１は、検査視標Ｍを表示部２に表示させる場合、検査視標Ｍに関する表示情報を記憶部４から取得して、取得した表示情報を表示部２に送信して、検査視標Ｍを表示部２に表示させる。この表示情報には、基準位置ＢＰに表示される基準検査視標ＢＭの情報（基準検査視標情報）と、この基準検査視標ＢＭを表示した後に周辺位置ＳＰに表示される周辺検査視標ＳＭの情報（周辺検査視標情報）と、が関連づけられて記憶部４に記憶されている。基準検査視標情報と周辺検査視標情報とが関連づけられて記憶部４に記憶されている状態はとくに限定されない。例えば、基準検査視標情報と周辺検査視標情報とが一つのセットとなったセット情報として記憶されている場合を挙げることができる（図４参照）。
【００３０】
なお、表示情報には、複数の基準検査視標情報と複数の周辺検査視標情報とが含まれており、それぞれ関連付けられている。例えば、基準検査視標情報と周辺検査視標情報とがセット情報となっている場合には、複数のセット情報が表示情報に含まれている。この表示情報は、記憶部４に記憶されており、検査視標表示機能１１からの指令により読みだされる。
【００３１】
上述した表示情報における基準検査視標情報および周辺検査視標情報に含まれる情報の一例を説明する。なお、表示情報における基準検査視標情報および周辺検査視標情報に含まれる情報は、以下で説明する情報に限られず、基準検査視標ＢＭ等の輝度や色等の情報が含まれていてもよい。
【００３２】
基準検査視標情報には、基準位置ＢＰに関する情報が含まれている。基準位置ＢＰに関する情報とは、表示部２上における基準位置ＢＰの座標等の情報である。基準位置ＢＰは、予め設定された位置であり、表示部２の形状や大きさによって適切な位置に設定される。
【００３３】
基準位置ＢＰを設定する位置はとくに限定されず、適切な検査ができる位置に設定すればよい。例えば、表示部２の中央に基準位置ＢＰを設定してもよいし、表示部２の中央から若干ずれた位置に基準位置ＢＰを設定してもよい。しかし、より精度よく検査する上では、各眼の視野（視界）における中央に基準位置ＢＰが位置するように設定することが望ましい。この場合の各眼の視野（視界）は、一般的な人の標準的な視野を基準として設定してもよい。
【００３４】
また、表示部２を左右で２分割して、各領域で左右の眼を別々に検査する場合には、各領域に基準位置ＢＰを設定することができる。つまり、左右の眼を検査する各領域でそれぞれ適切な位置に基準位置ＢＰを設定すればよい。例えば、ヘッドマウントディスプレイを表示部２として使用する場合であれば、表示部２を左右方向で２分割にした際の各領域の中央に基準位置ＢＰ、つまり、各眼を検査する際の基準位置ＢＰを設定することができる。この場合も、各領域の中央から若干ずれた位置に基準位置ＢＰを設定してもよいが、各眼についてより精度よく検査する上では、各眼の視野（視界）における中央の位置に基準位置ＢＰを設定することが望ましい。この場合も、各眼の視野（視界）は、一般的な人の標準的な視野を基準として設定してもよい。
【００３５】
また、基準検査視標情報には、基準位置ＢＰに表示させる基準検査視標ＢＭに関する情報が含まれている。基準位置ＢＰに表示させる基準検査視標ＢＭに関する情報とは、表示させる基準検査視標ＢＭの大きさや形状等に関する情報である。なお、検査視標表示機能１１によって表示させる基準検査視標ＢＭの大きさや形状は、予め定められた大きさや形状でもよいし、被験者に合わせて適切な大きさや形状に変更してもよい。
【００３６】
周辺検査視標情報には、周辺検査視標ＳＭを表示させる周辺位置ＳＰに関する情報が含まれている。周辺位置ＳＰに関する情報とは、表示部２上における基準位置ＢＰとは異なる位置であって周辺検査視標ＳＭを表示させる座標等の情報である。この周辺位置ＳＰに関する情報は、基準位置ＢＰに関する情報と関連付けられている。例えば、基準検査視標情報と周辺検査視標情報とがセット情報になっているとする。この場合、一つのセット情報（ＳＥＴ１）において、基準位置ＢＰの座標をＢＰ１（ａ，ｂ）とすると、周辺位置ＳＰの座標をＳＰ１（ａ＋ｃ，ｂ＋ｄ）等のように定義して、基準位置ＢＰに関する情報と周辺位置ＳＰに関する情報とを関連付けてもよい（図４参照）。
【００３７】
また、周辺検査視標情報には、周辺位置ＳＰに表示させる周辺検査視標ＳＭに関する情報が含まれている。周辺位置ＳＰに表示させる周辺検査視標ＳＭに関する情報とは、表示させる周辺検査視標ＳＭの大きさや形状等に関する情報である。なお、検査視標表示機能１１によって表示させる周辺検査視標ＳＭの大きさや形状は、予め定められた大きさや形状でもよいし、被験者に合わせて適切な大きさや形状に変更してもよい。また、周辺検査視標ＳＭの大きさや形状等は、基準検査視標ＢＭと同じでもよいし、異なっていてもよい。
【００３８】
また、検査視標表示機能１１において、基準検査視標ＢＭと周辺検査視標ＳＭとの間で表示を切り替えるタイミングは、検出部３からのトリガー信号に基づいて行われる。具体的には、一つのセット情報の基準検査視標ＢＭと周辺検査視標ＳＭについて基準検査視標ＢＭの表示から周辺検査視標ＳＭの表示に切り替えるタイミングや、一つのセット情報の周辺検査視標ＳＭの表示から次のセット情報の基準検査視標ＢＭの表示に切り替えるタイミングは、検出部３からのトリガー信号に基づいて行われる。
【００３９】
例えば、検査視標表示機能１１は、検出部３からのトリガー信号が入力されると、あるセット情報に基づいて基準位置ＢＰに基準検査視標ＢＭを表示させたり、一つのセット情報に基づいて表示されている基準検査視標ＢＭを消滅させて周辺位置ＳＰに周辺検査視標ＳＭを表示するように切り替える。
また、一つのセット情報に基づいて周辺位置ＳＰに周辺検査視標ＳＭが表示されている場合には、一つのセット情報に基づいて表示されている周辺検査視標ＳＭを消滅させて、他のセット情報に基づいて基準位置ＢＰに基準検査視標ＢＭを表示させる。
【００４０】
なお、検査視標表示機能１１は、トリガー信号が入力されると同時に基準検査視標ＢＭや周辺検査視標ＳＭを表示消滅させる処理を行ったり、一つのセット情報から他のセット情報に切り替える処理を行ったりするようにしてもよい。また、トリガー信号が入力されてから一定の期間経過後、上記処理を行うようにしてもよい。前者の場合には、検査が迅速に実施できるという利点が得られるし、後者の場合には、被験者の疲労低減等の利点が得られる。
【００４１】
＜表示位置調整機能１２＞
表示位置調整機能１２は、周辺位置ＳＰと表示部２との関係に基づいて、周辺検査視標ＳＭを表示する位置と、基準検査視標ＢＭを表示する位置と、を調整する機能を有している。
【００４２】
例えば、ディスプレイにおいて、表示部２の横方向（両目の並ぶ方向）に比べて上下方向の長さが短い場合には、上下方向では、基準位置ＢＰから表示部２のエッジまでの距離が短くなる。すると、あるセット情報において、基準位置ＢＰと周辺位置ＳＰとの距離が、基準位置ＢＰから表示部２のエッジまでの距離よりも長くなっていると、周辺位置ＳＰを表示部２に表示できなくなる。つまり、視野検査できる範囲が狭くなってしまう可能性がある。
【００４３】
また、上下方向に限らず横方向であっても、周辺位置ＳＰが表示部２のエッジ近傍に表示される場合には、表示部２の性能等によって周辺検査視標ＳＭが変形したりにじんだりする可能性がある。この場合、その位置における周辺検査視標ＳＭの視認性が他の位置の周辺検査視標ＳＭに比べて低下したり逆によくなったりする可能性がある。すると、表示部２のエッジ近傍に対応する位置では、視野検査の精度が低下してしまう可能性がある。
【００４４】
そこで、表示制御部１０は、セット情報に基づいて検査視標表示機能１１が基準検査視標ＢＭおよび周辺検査視標ＳＭを表示する前に、表示位置調整機能１２がセット情報を変更するようになっている。
【００４５】
表示位置調整機能１２は、次に表示部２に表示するセット情報について、周辺位置ＳＰの情報と表示部２の情報とを比較して基準検査視標ＢＭおよび周辺検査視標ＳＭを表示する位置を調整する機能を有している。そして、表示位置調整機能１２は、基準検査視標ＢＭおよび周辺検査視標ＳＭを表示する位置を調整した情報（または調整しない情報）を検査視標表示機能１１に送信する機能も有している。
【００４６】
具体的には、表示位置調整機能１２は、基準位置ＢＰを所定の位置（表示部２の中央等）とした場合に、セット情報の周辺位置ＳＰの情報と表示部２の情報とを比較して周辺位置ＳＰが表示部２内に存在しているか否かを判断する。
そして、周辺位置ＳＰが表示部２内に存在していると判断した場合には、表示位置調整機能１２は、そのままのセット情報を検査視標表示機能１１に送信し、送信されたセット情報に基づいて基準検査視標ＢＭおよび周辺検査視標ＳＭが表示される。
一方、周辺位置ＳＰが表示部２内に存在していないと判断した場合には、表示位置調整機能１２は、周辺位置ＳＰが表示部２内に位置し、かつ、周辺位置ＳＰとの相対的な位置が変化しない位置に基準位置ＢＰを変更したセット情報を作成する。そして、変更したセット情報が検査視標表示機能１１に送信され、送信されたセット情報に基づいて、変更された基準位置ＢＰおよび周辺位置ＳＰに基準検査視標ＢＭおよび周辺検査視標ＳＭが表示される（図３（Ｃ）、（Ｄ）参照）。
【００４７】
また、表示位置調整機能１２は、基準位置ＢＰを所定の位置（表示部２の中央等）とした場合に、周辺位置ＳＰの情報と表示部２の情報を比較して周辺位置ＳＰが忌避領域ＥＥに位置するか否かを判断する。
そして、周辺位置ＳＰが忌避領域ＥＥ内に存在していないと判断した場合には、表示位置調整機能１２は、そのままのセット情報を検査視標表示機能１１に送信し、送信されたセット情報に基づいて基準検査視標ＢＭおよび周辺検査視標ＳＭが表示される。
一方、周辺位置ＳＰが忌避領域ＥＥ内に位置すると判断した場合には、表示位置調整機能１２は、周辺位置ＳＰが忌避領域ＥＥ外となり、かつ、周辺位置ＳＰとの相対的な位置が変化しない位置に基準位置ＢＰを変更したセット情報を作成する。そして、変更したセット情報が検査視標表示機能１１に送信され、送信されたセット情報に基づいて、変更された基準位置ＢＰおよび周辺位置ＳＰに基準検査視標ＢＭおよび周辺検査視標ＳＭが表示される（図３（Ａ）、（Ｂ）参照）。
【００４８】
以上のように、表示位置調整機能１２によってセット情報を変更すれば、基準位置ＢＰと周辺位置ＳＰとの相対的な位置関係は維持した状態で基準検査視標ＢＭおよび周辺検査視標ＳＭを適切に表示部２に表示させることができる。例えば、周辺位置ＳＰを移動させた同じ方向に同じ距離だけ、基準位置ＢＰを移動させて基準検査視標ＢＭを表示させることができる。したがって、使用する表示部２に係らず、視野検査を幅広い範囲で精度よく実施することができる。
【００４９】
さらに、表示位置調整機能１２は、検査視標表示機能１１に送信する直前にセット情報を変更するようにしてもよい。また、表示位置調整機能１２は、表示部２に関する情報が得られると、表示部２に関する情報に基づいてセット情報を変更し、変更したセット情報を記憶部４に記憶させるようにしてもよい。
【００５０】
（反応時間測定機能１４）
反応時間測定機能１４は、検査視標表示機能１１によって周辺検査視標ＳＭが周辺位置ＳＰに表示された後、被験者が周辺検査視標ＳＭを認識したと検出部３の視認判断機能３ｂが判断した旨のトリガー信号（認識信号）が入力されるまでの時間を測定する機能を有している。
【００５１】
具体的には、検査視標表示機能１１によって周辺検査視標ＳＭが表示部２に表示されると同時に、検査視標表示機能１１から反応時間測定機能１４にトリガー信号（開始信号）が送信される。その開始信号を受信すると反応時間測定機能１４が時間の測定を開始する。やがて、被験者が周辺検査視標ＳＭを認識したと検出部３の視認判断機能３ｂが判断すると、検出部３から反応時間測定機能１４に認識信号が送信される。すると、反応時間測定機能１４は時間の測定を終了し、測定された反応時間を、記憶部４に送信する。記憶部４では、反応時間が周辺位置ＳＰの情報と関連付けられて記憶される。
【００５２】
なお、反応時間測定機能１４は、反応時間を測定せずに、単に、検査視標表示機能１１から開始信号が送信された時間と、検出部３から認識信号が送信された時間を記憶して、その時間を記憶部４に送信するようにしてもよい。
【００５３】
＜暗点判断機能１５＞
暗点判断機能１５は、反応時間測定機能１４によって測定された反応時間に基づいて、周辺位置ＳＰが暗点か否かを判断する機能を有している。加えて、暗点判断機能１５は、その周辺位置ＳＰを暗点と判断した場合、暗点情報を、周辺位置ＳＰの情報や反応時間と関連付けて記憶部４に記憶させる機能を有している。
【００５４】
暗点判断機能１５が暗点を判断する方法は、種々の方法を採用できる。例えば、暗点判断機能１５は、単純に、周辺位置ＳＰに周辺検査視標ＳＭを表示してから被験者が周辺検査視標ＳＭを視認したと検出部３の視認判断機能３ｂが判断するまでの時間が一定以上となった場合に、その位置を暗点と判断することができる。
【００５５】
また、検査視標表示機能１１から反応時間測定機能１４に上記開始信号が送信されるとき、および、検出部３から反応時間測定機能１４に認識信号が送信されるときに、暗点判断機能１５にも認識信号が送信されるようにしてもよい。この場合、検査視標表示機能１１から反応時間測定機能１４に開始信号が送信されたのち、一定時間以上、検出部３から暗点判断機能１５に認識信号が入力されない場合、その周辺位置ＳＰを暗点と判断する機能を暗点判断機能１５に設けておく。同時に、検査視標表示機能１１に対して、次の表示情報に基づいて検査視標Ｍを表示させる信号を送信する機能を暗点判断機能１５に設けておく。すると、必要以上に入力を待たずに検査を進められるので、検査時間を短縮できる。
【００５６】
なお、暗点判断機能１５は必ずしも設けなくてもよい。例えば、視野検査終了後、記憶部４に記録されている情報を処理して暗点を判断する場合には、暗点判断機能１５は設けなくてもよい。もちろん、検査視標表示機能１１や反応時間測定機能１４等に暗点判断機能１５を具備させてもよい。
【００５７】
＜入力機能について＞
上記例では、検出部３の視認判断機能３ｂによって被験者が検査視標Ｍを認識したと判断した場合に、検出部３からトリガー信号が検査視標表示機能１１に入力され、基準検査視標ＢＭと周辺検査視標ＳＭとの間で表示を切り替える場合を説明している。
【００５８】
一方、被験者が入力装置を操作することによって、トリガー信号が入力装置から検査視標表示機能１１に入力されると、基準検査視標ＢＭと周辺検査視標ＳＭとの間で検査視標表示機能１１が表示を切り替えるようになっていてもよい。例えば、キーボードやジョイスティック、マウス等の入力装置を設けてもよい。かかる入力装置を設けた場合には、被験者が入力装置の操作に不慣れな場合、被験者が正確に入力ができず、正確な検査ができない可能性がある。例えば、被験者が基準検査視標ＢＭや周辺検査視標ＳＭを視認できていても、入力ミスや入力に時間を要した場合には、被験者が基準検査視標ＢＭや周辺検査視標ＳＭを視認できなかったと判断される可能性がある。かかる問題を防ぐため、また、操作時間自体の短縮のためには、アイトラッキングデバイスを採用することが好ましい。
【産業上の利用可能性】
【００５９】
本発明の視野検査装置は、緑内障や網膜色素変性症、糖尿病性網膜症、網膜剥離、黄斑変性などの疾患を判断するために使用する暗点を検査する装置に適している。
【符号の説明】
【００６０】
１      視野検査装置
２      表示部
３      検出部
４      記憶部
１０      表示制御部
１１      検査視標表示機能
１２      表示位置調整機能
１４      反応時間測定機能
１５      暗点判断機能
ＢＰ      基準位置
ＳＰ      周辺位置
Ｍ      検査視標
ＢＭ      基準検査視標
ＳＭ      周辺検査視標
【図１】
2020099556.tif 000003
【図２】
2020099556.tif 000004
【図３】
2020099556.tif 000005
【図４】
2020099556.tif 000006
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
検査視標を表示する表示部と、
該表示部に表示された検査視標を被験者が認識したか否かを検出する検出部と、
前記表示部に前記検査視標を表示させる位置およびタイミングを制御する表示制御部と、
を備え、
該表示制御部は、
前記表示部における基準位置と前記表示部における前記基準位置以外の周辺位置とに交互に前記検査視標を表示させる検査視標表示機能と、
前記周辺位置に前記検査視標を表示させてから、該検査視標を被験者が認識するまでの時間を測定する反応時間測定機能と、を備えており、
前記基準位置に表示される基準検査視標の表示位置と該基準検査視標を表示した後に前記周辺位置に表示される周辺検査視標の表示位置とが相互に関連付けられて、一つのセット情報として記憶されており、
前記基準検査視標を前記表示部に表示する前に、該基準検査視標の表示位置および前記周辺検査視標の表示位置を調整する表示位置調整機能を有し、
前記表示位置調整機能は、
次に前記表示部に表示する前記セット情報について、前記周辺検査視標を表示する予定の位置が前記表示部内に位置するか否かを判断し、前記表示部内に位置しないと判断した場合において、前記周辺検査視標の表示位置を前記表示部内に変更し、かつ、該周辺検査視標との相対的な距離が維持されるように該周辺検査視標と関連付けられている前記基準検査視標の表示位置を変更したセット情報を作成する機能を有している、
ことを特徴とする視野検査装置。
【請求項２】
検査視標を表示する表示部と、
該表示部に表示された検査視標を被験者が認識したか否かを検出する検出部と、
前記表示部に前記検査視標を表示させる位置およびタイミングを制御する表示制御部と、
を備え、
該表示制御部は、
前記表示部における基準位置と前記表示部における前記基準位置以外の周辺位置とに交互に前記検査視標を表示させる検査視標表示機能と、
前記周辺位置に前記検査視標を表示させてから、該検査視標を被験者が認識するまでの時間を測定する反応時間測定機能と、を備えており、
前記基準位置に表示される基準検査視標の表示位置と該基準検査視標を表示した後に前記周辺位置に表示される周辺検査視標の表示位置とが相互に関連付けられて、一つのセット情報として記憶されており、
前記検査視標表示機能は、
該周辺検査視標と関連付けられている前記基準検査視標を前記表示部に表示する前に、該基準検査視標の表示位置および前記周辺検査視標の表示位置を調整する表示位置調整機能を有し、
前記表示位置調整機能は、
前記周辺検査視標を表示する予定の位置が表示部のエッジ近傍又は忌避領域に位置するか否かを判断し、前記エッジ近傍又は前記忌避領域にあると判断した場合において、前記周辺検査視標の表示位置を変更し、かつ、該周辺検査視標との相対的な距離が維持されるように該周辺検査視標と関連付けられている前記基準検査視標の表示位置を変更したセット情報を作成する機能を有し、
前記エッジ近傍は、前記周辺検査指標の変形、にじみ又は他の位置との視認性の異なりの生じる可能性のある位置であり、
前記忌避領域は、表示画像のにじみや変形が生じる領域である、
ことを特徴とする視野検査装置。
【請求項３】
前記検出部は、
被験者の視線を検出する視線検出機能と、
該視線検出機能が検出した視線に基づいて被験者が前記検査視標を認識したか否かを判断
する視認判断機能と、を有しており、
前記検査視標表示機能は、
被験者が前記検査視標を認識したと前記視認判断機能が判断すると、前記検査視標を表示
する位置を、前記基準位置と前記周辺位置との間で切り換える
ことを特徴とする請求項１または２記載の視野検査装置。
【手続補正２】
【補正対象書類名】明細書
【補正対象項目名】０００８
【補正方法】変更
【補正の内容】
【０００８】
本発明の視野検査装置は、検査視標を表示する表示部と、該表示部に表示された検査視標を被験者が認識したか否かを検出する検出部と、前記表示部に前記検査視標を表示させる位置およびタイミングを制御する表示制御部と、を備え、
該表示制御部は、前記表示部における基準位置と前記表示部における前記基準位置以外の周辺位置とに交互に前記検査視標を表示させる検査視標表示機能と、前記周辺位置に前記検査視標を表示させてから、該検査視標を被験者が認識するまでの時間を測定する反応時間測定機能と、を備えており、
前記基準位置に表示される基準検査視標の表示位置と該基準検査視標を表示した後に前記周辺位置に表示される周辺検査視標の表示位置とが相互に関連付けられて、一つのセット情報として記憶されており、
前記基準検査視標を前記表示部に表示する前に、該基準検査視標の表示位置および前記周辺検査視標の表示位置を調整する表示位置調整機能を有し、
前記表示位置調整機能は、次に前記表示部に表示する前記セット情報について、前記周辺検査視標を表示する予定の位置が前記表示部内に位置するか否かを判断し、前記表示部内に位置しないと判断した場合において、前記周辺検査視標の表示位置を前記表示部内に変更し、かつ、該周辺検査視標との相対的な距離が維持されるように該周辺検査視標と関連付けられている前記基準検査視標の表示位置を変更したセット情報を作成する機能を有している、ことを特徴とする。
さらに、本発明の視野検査装置は、検査視標を表示する表示部と、該表示部に表示された検査視標を被験者が認識したか否かを検出する検出部と、前記表示部に前記検査視標を表示させる位置およびタイミングを制御する表示制御部と、を備え、
該表示制御部は、前記表示部における基準位置と前記表示部における前記基準位置以外の周辺位置とに交互に前記検査視標を表示させる検査視標表示機能と、前記周辺位置に前記検査視標を表示させてから、該検査視標を被験者が認識するまでの時間を測定する反応時間測定機能と、を備えており、
前記基準位置に表示される基準検査視標の表示位置と該基準検査視標を表示した後に前記周辺位置に表示される周辺検査視標の表示位置とが相互に関連付けられて、一つのセット情報として記憶されており、
前記検査視標表示機能は、該周辺検査視標と関連付けられている前記基準検査視標を前記表示部に表示する前に、該基準検査視標の表示位置および前記周辺検査視標の表示位置を調整する表示位置調整機能を有し、
前記表示位置調整機能は、前記周辺検査視標を表示する予定の位置が表示部のエッジ近傍又は忌避領域に位置するか否かを判断し、前記エッジ近傍又は前記忌避領域にあると判断した場合において、前記周辺検査視標の表示位置を変更し、かつ、該周辺検査視標との相対的な距離が維持されるように該周辺検査視標と関連付けられている前記基準検査視標の表示位置を変更したセット情報を作成する機能を有し、
前記エッジ近傍は、前記周辺検査指標の変形、にじみ又は他の位置との視認性の異なりの生じる可能性のある位置であり、前記忌避領域は、表示画像のにじみや変形が生じる領域である、ことを特徴とする。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
検査視標を表示する表示部と、
該表示部に表示された検査視標を被験者が認識したか否かを検出する検出部と、
前記表示部に前記検査視標を表示させる位置およびタイミングを制御する表示制御部と、
を備え、
該表示制御部は、
前記表示部における基準位置と前記表示部における前記基準位置以外の周辺位置とに交互に前記検査視標を表示させる検査視標表示機能と、
前記周辺位置に前記検査視標を表示させてから、該検査視標を被験者が認識するまでの時間を測定する反応時間測定機能と、を備えており、
前記基準位置に表示される基準検査視標の表示位置と該基準検査視標を表示した後に前記周辺位置に表示される周辺検査視標の表示位置とが相互に関連付けられて、一つのセット情報として記憶されており、
前記検査視標表示機能は、
該周辺検査視標と関連付けられている前記基準検査視標を前記表示部に表示する前に、該基準検査視標の表示位置および前記周辺検査視標の表示位置を調整する表示位置調整機能を有し、
前記表示位置調整機能は、
前記周辺検査視標を表示する予定の位置が表示部のエッジ近傍又は忌避領域に位置するか否かを判断し、前記エッジ近傍又は前記忌避領域にあると判断した場合において、前記周辺検査視標の表示位置を変更し、かつ、該周辺検査視標との相対的な距離が維持されるように該周辺検査視標と関連付けられている前記基準検査視標の表示位置を変更したセット情報を作成する機能を有し、
前記エッジ近傍は、前記周辺検査視標の変形、にじみ又は他の位置との視認性の異なりの生じる可能性のある位置であり、
前記忌避領域は、表示画像のにじみや変形が生じる領域である、
ことを特徴とする視野検査装置。
【請求項２】
前記検出部は、
被験者の視線を検出する視線検出機能と、
該視線検出機能が検出した視線に基づいて被験者が前記検査視標を認識したか否かを判断
する視認判断機能と、を有しており、
前記検査視標表示機能は、
被験者が前記検査視標を認識したと前記視認判断機能が判断すると、前記検査視標を表示
する位置を、前記基準位置と前記周辺位置との間で切り換える
ことを特徴とする請求項１記載の視野検査装置。
【手続補正２】
【補正対象書類名】明細書
【補正対象項目名】０００８
【補正方法】変更
【補正の内容】
【０００８】
本発明の視野検査装置は、検査視標を表示する表示部と、該表示部に表示された検査視標を被験者が認識したか否かを検出する検出部と、前記表示部に前記検査視標を表示させる位置およびタイミングを制御する表示制御部と、を備え、
該表示制御部は、前記表示部における基準位置と前記表示部における前記基準位置以外の周辺位置とに交互に前記検査視標を表示させる検査視標表示機能と、前記周辺位置に前記検査視標を表示させてから、該検査視標を被験者が認識するまでの時間を測定する反応時間測定機能と、を備えており、
前記基準位置に表示される基準検査視標の表示位置と該基準検査視標を表示した後に前記周辺位置に表示される周辺検査視標の表示位置とが相互に関連付けられて、一つのセット情報として記憶されており、
前記検査視標表示機能は、該周辺検査視標と関連付けられている前記基準検査視標を前記表示部に表示する前に、該基準検査視標の表示位置および前記周辺検査視標の表示位置を調整する表示位置調整機能を有し、
前記表示位置調整機能は、前記周辺検査視標を表示する予定の位置が表示部のエッジ近傍又は忌避領域に位置するか否かを判断し、前記エッジ近傍又は前記忌避領域にあると判断した場合において、前記周辺検査視標の表示位置を変更し、かつ、該周辺検査視標との相対的な距離が維持されるように該周辺検査視標と関連付けられている前記基準検査視標の表示位置を変更したセット情報を作成する機能を有し、
前記エッジ近傍は、前記周辺検査視標の変形、にじみ又は他の位置との視認性の異なりの生じる可能性のある位置であり、前記忌避領域は、表示画像のにじみや変形が生じる領域である、ことを特徴とする。